(57)【要約】【目的】苔を用いて任意の形状に表示する。【構成】ケース１をケース本体２とふた３で構成し、ふた３をヒンジで回転自在とし、開くとスタンド状態にできる。ふた３には、苔８を適当なラフ形状に接着剤９で取付ける。ふた３の裏面側には着色部７を取付ける。着色部７はマリンブルーでグラデーション処理された印刷物である。ふた３には位置決め突起６が突出し、この上にアッパープレート１０を置く。アッパープレート１０には特定の島の輪郭をなす切り抜き穴１１が形成されているので、この切り抜き穴１１から苔８が突出し、特定の島の形をなし、全体として南の海に浮かぶ島のように見える。【選択図】図１
2004313050.tif 000002
【特許請求の範囲】
【請求項１】
表面に苔を取付けた支持部材と、その上へ被せられるカバー部材とを備え、このカバー部材には所定形状の切り抜き穴を設け、この切り抜き穴より苔を所定形状に表出させたことを特徴とする苔を用いた表示体。
【請求項２】
前記カバー部材を半透明にしたことを特徴とする請求項１の苔を用いた表示体。
【請求項３】
前記支持部材に着色部を設けたことを特徴とする請求項１の苔を用いた表示体。
【請求項４】
前記支持部材の着色部にはグラデーションが施されていることを特徴とする請求項３の苔を用いた表示体。
【請求項５】
前記支持部材とカバー部材との間に所定の間隙を形成したことを特徴とする請求項１の苔を用いた表示体。
【請求項６】
前記支持部材はケースのふたであって、箱状をなすケース本体部に対して回転自在に支持され、ふたを開いたときケース本体部に対して斜めに支持され、ケース全体がスタンドになることを特徴とする請求項１の苔を用いた表示体。
【発明の詳細な説明】
【０００１】
【発明の属する技術分野】
この発明は、苔を好みの形状にして室内装飾等に表示できるようにした苔を用いた表示体に関する。
【０００２】
【従来の技術】
苔を芝生などのグランドカバー用植物と同様に使用することは知られているが、これを所定形状にして表示することや、さらに携帯可能として持ち歩くようなことは知られていない。
【０００３】
【発明が解決しようとする課題】
ところで、苔を所定形状にしようとすれば、全体として所定形状になるよう一本一本の苔を接着しなければならず、非常に手間がかかり、かつ接着後の形状もそれほど正確なものにはならない。そこで本願発明は、苔を正確かつ容易に所定形状にして表示させることができるようにすることを目的とする。
【０００４】
【課題を解決するための手段】
上記課題を解決するため本願の苔を用いた表示体に係る請求項１の発明は、表面に苔を取付けた支持部材と、その上へ被せられるカバー部材とを備え、このカバー部材には所定形状の切り抜き穴を設け、この切り抜き穴より苔を所定形状に表出させたことを特徴とする。
【０００５】
請求項２は上記請求項１において、前記カバー部材を半透明にしたことを特徴とする請求項１の苔を用いた表示体。
【０００６】
請求項３は上記請求項１において、前記支持部材に着色部を設けたことを特徴とする。
【０００７】
請求項４は上記請求項３おいて、前記支持部材の着色部にはグラデーションが施されていることを特徴とする。
【０００８】
請求項５は上記請求項１において、前記支持部材とカバー部材との間に所定の間隙を形成したことを特徴とする。
【０００９】
請求項６は上記請求項１において、前記支持部材はケースのふたであって、箱状をなすケース本体部に対して回転自在に支持され、ふたを開いたときケース本体部に対して斜めに支持され、ケース全体がスタンドになることを特徴とする。
【００１０】
【発明の効果】
請求項１によれば、苔を取付けた支持部材の上へ、予め所定形状の切り抜き穴を設けたカバー部材を重ねることにより、苔を切り抜き穴から表出させる。このとき、苔は切り抜き穴通りの形状通りの輪郭をなして表出するから、切り抜き穴の形状によって苔を所定形状にして自在に表示でき、しかも正確な形状を容易に表示させることができる。
【００１１】
請求項２によれば、カバー部材を半透明にしたので、苔の上に重ねたとき、切り抜機穴以外はカバー部材の下側が見えにくくなり、苔の接着等をラフに行ってもこの部分が見えにくいので、外観性を良好にでき、かつ苔の接着作業等が容易になる。
【００１２】
請求項３によれば、支持部材へ着色部を形成し、この着色部の色をカバー部材から通して見ることにより、カバー部材に奥行き感のある色を出すことができ、表示体として外観を良好にできる。
【００１３】
請求項４によれば、着色部にグラデーションを施したので、カバー部材を通して見るとき立体感が得られ、さらに外観を良好にすることができる。
【００１４】
請求項５によれば、カバー部材と着色部との間に間隔を設けたので、カバー部材から見える着色部の色を、さらに深い色味をにして立体感を出すことができる。
【００１５】
請求項６によれば、支持部材をケースのふたにしたので、ふたを閉じれば苔をケース内へ収容して携帯等持ち運び可能となり、取り扱い便利である。そのうえ、ふたを開いて回転させればそのままスタンドとして表示できるので、表自体としての使用に便利となる。
【００１６】
【発明の実施の形態】
以下、図面に基づいて一実施例を説明する。図１はふた３を開いた状態を示し、図２はさらに反対側まで回転させてスタンドにした状態を示す。これらの図において、ふた３はケース本体２と共にケース１を構成し、ヒンジ穴４ａとこれに嵌合するヒンジ突起４ｂからなるヒンジ部４を中心に回転自在であって、ケース本体２を開閉自在としている。
【００１７】
ケース１は透明樹脂製である。但し、いずれか一方又は双方を任意の色に着色することは自由にできる。ストッパ端部５はふた３のストッパであり、ふた３を開いてケース本体２の裏側へ回転させたとき、ケース本体２の一部に当接して回転を停め、スタンド状態になる（図２参照）。
【００１８】
図３はふた３の側面図である。符号６はふた３から一体に突出形成された位置決め突起であり、例えば４隅などの適当位置に設けられ、好ましくは３以上である。ふた３の表面（図示状態は裏面）には着色部７が形成されている。着色部７は印刷等により任意の色に着色された紙等の着色面側をふた３の表面へ重ねって接着等で一体化されている。なお、着色部７は接着ではなく、直接塗布や印刷で形成することもできる。
【００１９】
着色部７は目的により好みの色や模様を付すことが可能である。本実施例では、南海をイメージさせるため、マリンブルーとし、かつ中心側が濃く、周囲へ行くにしたがって薄くなるようグラデーション処理を施されている。ふた３の内面側には、苔８の根側が適当な接着剤９により一体化されている。なお苔８には一般植物のような根は存在しないので、接着が可能になる。本願では仮根が形成される茎側端部を根側というものとする。
【００２０】
図４はアッパープレート１０の取付け直前の状態を示す。苔８の接着形状はラフであり、予想される表示の量よりも多い程度の適当量をある程度の大きさで接着する。このとき接着剤が苔８の周囲へはみ出し等しても自由である。苔８の上には、アッパープレート１０が置かれる。アッパープレート１０は本願発明のカバー部材に相当する着色した半透明樹脂板である。半透明の程度は下側の苔８が見えにくくなる程度であればよく、その色は好みであるが、下側が見えにくくなるような濃色系が好ましい。本例の場合は、着色部７との兼ね合いで青色系が好ましい。
【００２１】
アッパープレート１０の中央部には、切り抜き穴１１が形成される。切り抜き穴１１はこれを通して苔８がアッパープレート１０の上へ表出するときの表出部における輪郭をなすように任意の模様やパターン等をなす形状とされる。本実施例では、南海の島等を表現するものとして、地図上の具体的な島の形を忠実に再現した輪郭になるよう切り抜かれる。
【００２２】
位置決め突起６は苔８の高さよりも低く、その上へアッパープレート１０を置いたとき、切り抜き穴１１から苔８が突出する程度の高さになっている。苔８の接着面積は切り抜き穴１１の面積より広く、その形状は切り抜き穴１１の上方から見たとき、略円形等の比較的ラフな形状をなし、かつ切り抜き穴１１の外周を包含するようになっている。
【００２３】
この状態では、アッパープレート１０の下方に位置する着色部７の色が見えるため、本実施例では、アッパープレート１０は着色部のマリンブルーの影響で青い海のように見える。したがって、切り抜き穴１１から表出する苔８は、あたかも海に浮かぶ南の島のように見える。この場合、南の島のように見える輪郭形状は切り抜き穴１１の形状で与えられる。
【００２４】
このように、切り抜き穴１１の形状に従って、苔８の表示形状を自由に変更できるので、切り抜き穴１１を例えば地図に基づいて世界各地の具体的な島の形状に切り抜き、これを苔８の上に被せるだけで、容易かつ正確に特定の島の形状をした苔８を表出させることができる。有名な島であれば、見た人が直ちにそれを認識でき、装飾的な表示体として有効である。しかも、苔８自体はラフな形状でふた３へ接着しておくだけで済むから、複雑形状の輪郭を有するものであっても簡単に製造できる。
【００２５】
このとき、アッパープレート１０と着色部７の間には、位置決め突起６の高さ程度の距離があるので、海に相当する部分は深みのある色になる。また着色部７がグラデーション処理されているので、さらに立体感が得られる。
なお、アッパープレート１０側に着色し、着色部７側を例えば白色で外側へ向かって次第に灰色になるようグラデーション変化された反射板としてもよい。
【００２６】
このようにしたケース１は、ふた３を閉じれば苔８はケース本体２の中へ収納されるので、このまま携帯可能である。しかも、苔８は水や日光が不足するれば仮眠状態となるので、この収納状態のまま携帯でき、また、物流等に置くことができ、取り扱いが便利になる。
【００２７】
また、ふた３を開いて、ケース本体２の裏側まで回転させると、図２に示すように、ストッパ端部５（図１参照）がケース本体２の裏面１４の切り欠き１５へ当接して回動停止されるので、裏面側へ斜めに起立固定されたスタンド状態となる。この状態でアッパープレート１０及び苔８はケース本体２から外へ出て外観側となる。
【００２８】
また、苔８の一部が切り抜き穴１１からその形状等通りの輪郭で表出する外観部分となるので、苔８を置物のように表示しておくことができる。この状態では苔８の表側になっている葉の側に水を与えることが容易であり、日光に当てることもできる。このため、苔８はケース１から外へ出せば容易に活性化して生長を開始し、そのままの状態で室内装飾等の標示物として利用できる。
【００２９】
図中の符号１２はグラデーションで表現された海の波等を示す。立体感がありかつ深みのある色合いによってこのような表現が可能になる。
また、アッパープレート１０に夜光性の素材を使うと、夜の暗いところで海が光っているように見える。また、様々な着色をしたり、模様を入れたり、絵を入れることで、地図や海図、庭園等の表現ができる。なお、図２中の符号１３はふた３の端部に形成された容器状部であり、ここにアッパープレート１０の端部を収容できる。その両側にはヒンジ穴４ａ（図１参照）が形成され、ここにケース本体部２側から突出するヒンジアーム１６に一体形成されたヒンジ突起４ｂが嵌合している。
【００３０】
このように、本実施例によれば、以下の効果がある。
まず、苔８を接着する支持部材３と島の形を表すアッパープレート１０を別々にすることにより、苔８を適当なサイズにカットして支持部材３へラフに接着するだけで済み、苔８を島の形に忠実に接着する必要はないから、作業性が良い。しかも接着剤のはみ出しも問題にならないからさらに作業が楽である。
【００３１】
正確な島の形の切り抜き穴１１を設けたアッパープレート１０を苔８の上へ重ねて押しつけると、苔８が島の形となって切り抜き穴１１から表れる。有名な島で有れば一目見て島の名前側がわかり、多くの人を楽しませることができる。
【００３２】
アッパープレート１０に正確な島の形の切り抜き穴１１を設けることは簡単であるから、自由に好みの島を作ることができる。したがって、苔８を使って、現実に存在する島を表現することで、何種類もの島からなるシリーズの表示帯を作ることができる。また、切り抜き穴１１は動物でも記号でもマークでも簡単に表すことができ、アッパープレート１０を変えるだけで様々なバリエーションができる。切り抜き穴１１の形状として、文字や記号、さらには任意の模様等にして苔８によるメッセージボードのように使うこともできる。
【００３３】
支持部材３に接着された苔８は、余分な部分がアッパープレート１０に押されてその下になって見えなくなる。さらに接着剤も見えなくなる。したがって外観が非常にきれいに仕上がる。また苔８は、切り抜き穴１１の中にある部分及びアッパープレート１０に押し付けられている部分のいずれもが、アッパープレート１０によりガードされて束ねられていることにより、接着部から剥がれにくくなる。
【００３４】
さらに、アッパープレート１０は半透明の着色された素材を使用することにより、切り抜き穴１１以外は下が見えないことになり、支持部材３の裏側に印刷された紙等を貼って着書部を設ければ、海のグラデーションや模様も表現できる。そのうえ２重構造のため奥行感や立体感を出せる。
【図面の簡単な説明】
【図１】実施例に係る表示体のふたを開いた状態における斜視図
【図２】スタンド状態にした斜視図
【図３】ふた部分の側面図
【図４】組立図
【符号の説明】１：ケース、２：ケース本体、３：ふた、４：ヒンジ、５：ストッパ、６：位置決め突起、７：着色部、８：苔、９：接着剤、１０：アッパープレート、１１：切り抜き穴
【図１】
2004313050.tif 000003
【図２】
2004313050.tif 000004
【図３】
2004313050.tif 000005
【図４】
2004313050.tif 000006